(57)【要約】【課題】表示一体型入力部の傷や汚れを抑制可能な通信端末装置を提供する。【解決手段】片手で固定ができる大きさの筐体１１と、筐体１１の一方の面に配設された液晶パネル部１６、及び液晶パネル部１６の上で押された位置情報を出力するタッチスクリーン部１７を有する表示一体型入力部１５と、表示一体型入力部１５の周辺外側にあり、矩形の４つの角部をなすように配設され、筐体１１の一方の面側の光を検出する光センサ部３１、３２、３３、３４と、筐体１１の外側から接触して、光センサ部３１、３２、３３、３４を受光可能な状態に切換える光センサ切換部３７と、一定時間内に起こる光センサ部３１、３２、３３、３４の入射光量の変化に対応し、内蔵された命令を実行する制御部（５１）とを備える。【選択図】図１
2010171817.tif 000002
【特許請求の範囲】
【請求項１】
筐体と、
前記筐体の一方の面に配設された表示部、及び前記表示部の上で押された位置情報を出力する入力部を有する表示一体型入力部と、
前記筐体の一方の面に配設され、前記表示一体型入力部の周辺外側にあり、前記表示一体型入力部の少なくとも一部にかかる凸四角形の四つの角部の少なくとも1つを占めるように配設され、前記筐体の一方の面側の光を検出する光センサ部と、
前記筐体の外側から接触して、前記光センサ部を受光可能な状態に切換える光センサ切換部と、
一定時間内に起こる前記光センサ部の入射光の変化に対応し、内蔵された命令を実行する制御部と、
を備えていることを特徴とする通信端末装置。
【請求項２】
前記筐体の一方の面上の前記表示一体型入力部の近傍にボタン入力部を更に有することを特徴とする請求項１に記載の通信端末装置。
【請求項３】
前記表示一体型入力部は矩形であり、前記凸四角形は矩形またはひし形であることを特徴とする請求項１または２に記載の通信端末装置。
【請求項４】
前記入射光の変化は、前記光センサ部に影を形成することによりなされることを特徴とする請求項１乃至３のいずれか１項に記載の通信端末装置。
【請求項５】
前記入射光の変化は、前記光センサ部に前記表示一体型入力部からの光を反射して形成されることを特徴とする請求項１乃至３のいずれか１項に記載の通信端末装置。
【発明の詳細な説明】
【技術分野】
【０００１】
本発明は、表示一体型入力部を有する携帯電話機等の通信端末装置に関する。
【背景技術】
【０００２】
従来、通信端末装置の一形態である携帯電話機は、４行３列に配置されたダイヤルキーで、数字、文字、記号等のキャラクタが入力される場合が多い。この携帯電話機はダイヤルキー配列の操作部とは別に液晶またはＥＬ（Electroluminescence）等からなる表示部を有している。
【０００３】
表示部と操作部とが別の場合、表示部と操作部とを重ならないように配置した上で、一定の大きさに収納しようとすると、表示部の大きさ、操作部の大きさのどちらか一方を小さめにして全体の大きさを確保するか、厚さ等を大きめにして、使用時に大きくなるように折りたたみやスライドの機構を設ける工夫がなされることが多い。
【０００４】
一方、表示部と操作部とを一体的に配置したタッチスクリーンまたはタッチパネルを利用する通信端末装置が開発されている。表示一体型入力部は、下側の表示部の上に、表示部が透けて見える入力部を配置し、表示部に対応させた入力部を表面側から押圧または接触することにより、入力が可能になっている。
【０００５】
この表示一体型入力部は、表面を押圧または表面上を擦る等のために、表面が汚れたり、繰り返し使用すると傷が付くことは避けられない。汚れや傷を避けるために、例えば、表示部のある同一面に、別に情報を入力するための複数の操作キーを配置する操作部を置き、複数の操作キーが取り付けられている面上かつ表示部とは異なる位置に、物体の接触した位置を検出し、その接触した位置の軌跡にもとづいて情報を入力するための座標情報入力手段一体状に形成させた情報端末装置が開示されている（例えば、特許文献１参照。）。
【０００６】
この開示された情報端末装置は、表示一体型入力部をやめてしまっているので、表示部が汚れや傷により見にくくなることは避けられるが、表示部と操作部を別々に同一面に配置するために、操作部を置く分だけ表示部が小さくなることは避けられない。手になじむ大きさの情報端末装置の表示部をより大きくして、つまり見易くして、なお且つ表示部が傷や汚れにより見にくくなることを避けるという問題は残されている。
【先行技術文献】
【特許文献】
【０００７】
【特許文献１】特開２００４−１１０１７５号公報
【発明の概要】
【発明が解決しようとする課題】
【０００８】
本発明は、表示一体型入力部の傷や汚れを抑制可能な通信端末装置を提供する。
【課題を解決するための手段】
【０００９】
本発明の一態様の通信端末装置は、筐体と、前記筐体の一方の面に配設された表示部、及び前記表示部の上で押された位置情報を出力する入力部を有する表示一体型入力部と、前記筐体の一方の面に配設され、前記表示一体型入力部の周辺外側にあり、前記表示一体型入力部の少なくとも一部にかかる凸四角形の四つの角部の少なくとも1つを占めるように配設され、前記筐体の一方の面側の光を検出する光センサ部と、前記筐体の外側から接触して、前記光センサ部を受光可能な状態に切換える光センサ切換部と、一定時間内に起こる前記光センサ部の入射光の変化に対応し、内蔵された命令を実行する制御部とを備えていることを特徴とする。
【発明の効果】
【００１０】
本発明によれば、表示一体型入力部の傷や汚れを抑制可能な通信端末装置を提供することが可能である。
【図面の簡単な説明】
【００１１】
【図１】本発明の実施例に係る通信端末装置の構成を模式的に示す正面図。
【図２】本発明の実施例に係る通信端末装置の構成を示すブロック図。
【図３】本発明の実施例に係る通信端末装置の光センサ部を利用して信号を入力する動作を模式的に示す正面から見た図。
【図４】本発明の実施例に係る通信端末装置の光センサ部を利用して入力した信号を説明するための図。
【図５】本発明の実施例に係る通信端末装置の光センサ部を利用して入力する信号の例を模式的に示す図。
【図６】本発明の実施例に係る通信端末装置の光センサ部を利用して入力する信号の例を模式的に示す図。
【図７】本発明の実施例に係る通信端末装置の光センサ部を利用して入力する信号の例を示す図。
【図８】本発明の実施例に係る通信端末装置の光センサ部を利用して入力する信号の例を示す図。
【図９】本発明の実施例に係る通信端末装置の光センサ部を利用して入力する信号の例を示す図。
【発明を実施するための形態】
【００１２】
以下、本発明の実施例について、図面を参照しながら説明する。以下に示す図では、同一の構成要素には同一の符号を付す。
【実施例】
【００１３】
本発明の実施例に係る通信端末装置について、図１乃至図８を参照しながら説明する。
【００１４】
図１に示すように、通信端末装置である電話機能を有する携帯端末１は、片手で固定ができる大きさの筐体１１と、筐体１１の一方の面に配設された表示部である液晶パネル部１６、及び液晶パネル部１６の上で押された位置情報を出力する入力部であるタッチスクリーン部１７を有する表示一体型入力部１５と、表示一体型入力部１５の周辺外側にあり、凸四角形の内の矩形の４つの角部をなすように配設され、筐体１１の一方の面側の光を検出する光センサ部３１、３２、３３、３４と、筐体１１の外側から接触して、光センサ部３１、３２、３３、３４を受光可能な状態に切換える光センサ切換部３７と、一定時間内に起こる光センサ部３１、３２、３３、３４の入射光量の変化に対応し、内蔵された命令を実行する制御部５１とを備えている。
【００１５】
筐体１１は、例えば、プラスチック製で、大人の左手に載せて楽に固定、右手で操作ができる大きさ、例えば、高さ約１１ｃｍ、幅約６ｃｍ、奥行き約１．３ｃｍの角の取れた概ね直方体に近い形状である。
【００１６】
携帯端末１のほぼ平面をなす表面には、筐体１１の中心部の大きな面積、例えば、５０〜７０％程度を占めて、筐体１１の長手（長辺）方向に長辺を有する矩形をなす表示一体型入力部１５が配設されている。筐体１１の表面と表示一体型入力部１５の表面は、ほぼ面一である。
【００１７】
表示一体型入力部１５は、液晶パネル１６とその上側（タッチされる側）に重ね合わされたタッチスクリーン部１７で構成されている。タッチスクリーン部１７は、例えば、タッチ面への接触の検出を押圧検出信号として出力し、また、タッチ面の検出座標値を押圧座標信号として、ＸＹ座標で出力するように構成されている。タッチスクリーン部１７の検出機構は、周知の抵抗膜式を使用しているが、他に静電容量式、超音波式、光電式等によるものが可能である。タッチスクリーン部１７は、下側に配置される液晶パネル１６の画面に重ねて配置されるため、透明または半透明の材料で構成されている。
【００１８】
表示一体型入力部１５の長辺方向下部、すなわち紙面下側にボタン操作部２１が配置されている。ボタン操作部２１は、例えば、１つのボタンが配置されて、押圧することにより携帯端末１が起動、つまりオン状態となって初期画面（ホーム画面、メインメニュー等）を表示する。従って、ボタン操作部２１は、携帯端末１の使用開始時、クリア時、リセット時等に使用される。なお、ボタン操作部２１は、他にボタンとしてあった方がよいと判断される場合、１つに限定されるものではない。
【００１９】
ボタン操作部２１の下部、すなわち表示一体型入力部１５とは反対側には、マイクロフォン４３が配置されている。マイクロフォン４３は、電話をかける際の音声の入力用である。表示一体型入力部１５の長辺方向上部外側、すなわち紙面上側にスピーカ４１が配置されている。スピーカ４１は、電話をかける際の音声の出力用である。スピーカ４１とマイクロフォン４３は、それぞれ、筐体１１の上側及び下側の周辺部、且つ左右側のほぼ中央部に、筐体１１の表面から突出することなく配設されている。
【００２０】
表示一体型入力部１５の４つの角の近傍外側に、例えば、角に接触した位置から約３ｍｍ程度離れた位置の範囲に、それぞれ１つずつ、光センサ部３１、３２、３３、３４が配置されている。光センサ部３１、３２、３３、３４を符号の順に直線で結ぶとほぼ矩形をなす。光センサ部３１、３２、３３、３４は、筐体１１に穴が開けられて、携帯端末１の表面側に当たる光が入射可能に配設されている。光センサ部３１、３２、３３、３４の受光面は、筐体１１の外側の表面から少なくとも筐体１１の厚みだけ内部側に入っているが、入射する光の方向を絞るために、筐体１１の厚みより深い位置に配設することは可能である。
【００２１】
表示一体型入力部１５の４つの角の近傍外側は、外観的に分かり易く、光センサ部３１、３２、３３、３４が小さくても間違えることの少ない位置である。その他、外観的に分かり易い位置として、表示一体型入力部１５の４つの辺の中点の外側等があり、４つの辺の中点の外側の４つの光センサ部を結ぶとほぼひし形となる。
【００２２】
光センサ部３１、３２、３３、３４は、例えば、フォトトランジスタまたはフォトダイオード等を有する構成をなして、外部から入射する光を検出し、この検出した光に応じて信号を出力する。例えば、外部から入射する光を、携帯端末１の使用者の指、手等で遮って、入射光量を減少させることにより、光電流を減少させて、信号とすることが可能である。遮る光センサ部３１、３２、３３、３４の順番を変えることにより、異なる信号を形成することが可能となる。
【００２３】
使用者が左手でスピーカ４１を上にして持って、表示一体型入力部１５に対面すると、筐体１１の左側、つまり左手の親指の位置（紙面左側）に光センサ切換部３７をなす押し込み型のスイッチが配設されている。光センサ切換部３７を押すことにより、光センサ部３１、３２、３３、３４は光の検出を開始する。光センサ切換部３７を押している間、または、押すことを止めてから一定の時間経過までの間、光センサ部３１、３２、３３、３４は光の検出を継続する。
【００２４】
光センサ切換部３７は、ボタン操作部２１による起動とは別に、携帯端末１を起動して、光センサ部３１、３２、３３、３４を稼働することができる。また、ボタン操作部２１による起動中においても、光センサ部３１、３２、３３、３４を稼働することが可能である。一方、標準動作条件の初期設定では、ボタン操作部２１による起動だけでは、光センサ部３１、３２、３３、３４を稼働することはできないが、例えば、初期設定を変更して、ボタン操作部２１による起動と同時に光センサ部３１、３２、３３、３４を稼働する設定は可能である。
【００２５】
次に、携帯端末１の構成及び機能等を説明する。図２に示すように、携帯端末１は、制御部５１を備え、この制御部５１には、上述の表示一体型入力部１５、ボタン操作部２１、光センサ部３１、３２、３３、３４、光センサ切換部３７、スピーカ４１及びマイクロフォン４３等からなる音声入出力部６１が接続され、その他、高周波送受信部５３、データ入出力部５５等が接続され、各種機能部５７等が接続され、配設され、または、組み込まれている。ここで、電源供給部等の一部の構成は図示を省略してある。
【００２６】
制御部５１は、中央演算処理装置（ＣＰＵ）の他に、表示部、操作部、入出力部、機能部等を動作させるための駆動部の全部または一部、信号処理部の全部または一部、各種プログラム及び各種データを一時的または不揮発的に保存するメモリ（ＲＡＭ及びＲＯＭ）等を含んでいる。つまり、制御部５１は、選択して与えられた命令に従って、上述及び後述の動作を実行するための処理回路を処理部の中に有している。命令は、光センサ部３１、３２、３３、３４を使用しなければ、ボタン操作部２１による起動で始まり、アイコンの選択によりなされる。
【００２７】
高周波送受信部５３は、制御信号に基づき、受信または送信の切換を行い、アンテナ（図示略）を介して基地局からの信号を受信または基地局へ信号を送信する。高周波送受信部５３と接続するベースバンド信号の処理は制御部５１側で行う。
【００２８】
データ入出力部５５は、メモリカード、赤外線通信、Ｂｌｕｅｔｏｏｔｈ（R）等を介して、テキストデータ、画像データ、オーディオデータ等を入出力可能である。
【００２９】
各種機能部５７は、主なものとして、例えば、オーディオ、ＴＶ（１セグメント部分受信）、インターネット、無線ＬＡＮ、電子メール、着発信履歴、ＧＰＳ、カメラ、カレンダ、時計、電卓、辞書、バーコードリーダ、リンガ、振動、ショートカット、アップデート等を含んでいる。
【００３０】
次に、携帯端末１の動作について説明する。携帯端末１は、光センサ部３１、３２、３３、３４を使用しない状態で、通常の携帯端末と同様に使用することが可能である。つまり、使用者は、左手で携帯端末１を持って、右手の指で、ボタン操作部２１を押して起動する。
【００３１】
以下、表示一体型入力部１５を指で押して選択する通常の使用法による例を説明する。図示を省略するが、携帯端末１は、オン状態となって、初期画面（ホーム画面）を表示一体型入力部１５に表示する。初期画面として、例えば、数個から十数個の最も上位のアイコンが表示される。所望のアイコンを、表示一体型入力部１５の表面のタッチスクリーン部１７面上から、例えば、右の指で押すことにより選択され、次に、選ばれたアイコンの下位のアイコンが幾つか表示される。以下、次々に、アイコンを指で選択することにより、例えば、最終的に欲しい赤外線送信機能に到達する。そして、例えば、撮って、携帯端末１のメモリに保存してあった画像データを、赤外線受信機能を有し保存機能を有するパーソナルコンピュータまたは画像データ保存器に送信し、送信完了後に表示される終了のアイコンを押して、赤外線送信機能を終了する。
【００３２】
なお、上述の赤外線送信機能は、ショートカット機能を利用すると、例えば、初期画面を表示して、次に、最終的に欲しい赤外線送信機能に到達することが可能である。
【００３３】
一方、図３に示すように、光センサ部３１、３２、３３、３４を使用する場合、携帯端末１を左手で持って、親指７１で光センサ切換部３７を押す。次に、光センサ部３１、３２に影を作るように、右手の人差し指と中指を隙間がない程度に接近させた指７３を、光センサ部３１から光センサ部３２の方向に走査する。この走査により、赤外線送信機能に到達し、表示一体型入力部１５に表示される。以下は、上述の赤外線送信手順と同様に進めて、送信完了後に表示される終了のアイコンを押して、赤外線送信機能を終了する。
【００３４】
走査時、指７３は、光センサ部３１、３２の受光の穴を有する筐体１１から数ｍｍ〜１０ｍｍ位離れている。なお、光を遮って影を作る指は、必要な明暗差が得られれば、２本に限らず、１本でも、３本以上でもよい。また、右手の人差し指で、表示一体型入力部１５の縁に沿って、筐体１１上に接触して走査することは可能であるし、右手の親指で光センサ部３１の筐体１１上に接触し、次に、右手の人差し指で光センサ部３２の筐体１１上に接触するように、指を替えることは可能である。
【００３５】
図４に示すように、光センサ部３１に影を作るように指７３を走査させた時、光センサ部３１から凹形の光電流の波形が出力される。縦軸は光センサ部３１の光電流であり、横軸は時間である。光センサ３１がオフ状態の時は、光電流Ｉｏｆｆは実質的にゼロである。光センサ切換部３７を押して、光センサ部３１を稼働状態にすると、光センサ部３１は外からの光を感じて、光電流Ｉｏｎとなる。光電流Ｉｏｎは、携帯端末１の向きにより変化する場合がある。光センサ部３１に影を作ると光電流Ｉｄとなる。光電流Ｉｄは、光電流Ｉｏｆｆより大きく、光電流Ｉｏｎより小さくなる。
【００３６】
そして、光電流Ｉｄが信号として検知されるように、基準となる光電流Ｉｔｈを決めておく。光電流Ｉｔｈは、光電流Ｉｄより大きく、光電流Ｉｏｎより小さくなる。光電流Ｉｏｎ及び光電流Ｉｄは、携帯端末１の置かれた環境により異なるので、光電流Ｉｔｈは、光電流Ｉｏｎに対する割合、例えば、１０〜５０％、で決めておくと都合がよい。ここで、光センサ３１にかかる影が継続する時間Ｔ１は、影を作る指の数及び走査の速さで決まる。そこで、使用者にとって好適な操作条件に合わせて影を作る時間Ｔ１を設定して、信号として検知する条件に加えると、影が作る信号を誤認識することが少なくなる。なお、光センサ部３１の筐体１１上に接触して影を作る場合は、接触している時間で影を作る時間Ｔ１がほぼ決まる。
【００３７】
図５に示すように、４つの光センサ部３１、３２、３３、３４を使用して、矩形をなす表示一体型入力部１５の短辺方向に並行に指を走査させると、１組の信号を形成することが可能である。図５は、図３に示した指７３の走査によって、光センサ部３１、３２に影を作る場合に相当する。
【００３８】
図５(ａ)、（ｂ）に示すように、光センサ部３１から光センサ部３２の方向に、つまりＸ軸のプラス方向（Ｘ＋と表示する）に走査し、光センサ部３１に影がかかり始めてから、次に、光センサ部３２に影がかかり始めるまでに時間Ｔ２を要している。そこで、時間Ｔ２を越えない時間枠を作り、つまり時間ブロックＡ、Ｂを設定して、時間差による２つの信号を分けて入力可能とする。影のかかった光電流Ｉｄが光電流Ｉｔｈを超えた凹部に記号「１」を与え、光電流が光電流Ｉｔｈを超えない場合記号「０」を与えると、時間ブロックＡの４つの光センサ部３１、３２、３３、３４に対応する信号（１０００）、時間ブロックＢの４つの光センサ部３１、３２、３３、３４に対応する信号（０１００）が得られる。光センサ部３１、３２、３３、３４を縦方向に並べ、時間を横方向にとると、これらの信号は、図５(ｃ)のように表わされる。
【００３９】
図６に示すように、４つの光センサ部３１、３２、３３、３４を使用して、矩形をなす表示一体型入力部１５の長辺方向に並行に、指を含む手を走査させると、別の１組の信号を形成することが可能である。
【００４０】
図６(ａ)に示すように、光センサ部３３、３４から光センサ部３２、３１の方向に、つまりＹ軸のマイナス方向（Ｙ−と表示する）に走査する。図６(ｂ)に示すように、時間ブロックＡの４つの光センサ部３１、３２、３３、３４に対応する信号（００１１）、時間ブロックＢの４つの光センサ部３１、３２、３３、３４に対応する信号（１１００）が得られる。光センサ部３１、３２、３３、３４を縦方向に並べ、時間を横方向にとると、これらの信号は、図６(ｃ)のように表わされる。
【００４１】
ここで、手が作る影は、凹凸を有する形状となるために、例えば、光センサ部３３、３４への影のかかり始めが、同時とは限らない。また、携帯端末１に対する手の関係によっても、光センサ部３３、３４への影のかかり始めに時差が生じることが普通である。時間ブロックＡ、Ｂで区切って、その中の信号を同時信号と見なすことが必要となる。
【００４２】
図７に示すように、指または手で影を作って、同じ時間ブロックＡ、Ｂ中に、光センサ部３１、３２、３３、３４の内の１つまたは２つに影がかかるように走査すると、例えば、Ｘ方向、Ｙ方向に沿った単純な操作で１２種類の信号が得られる。最初の8種類（信号種類１番〜８番）は、左手に筐体１１を固定したままで、比較的簡単に右手で影を作ることができる。例えば、図５に示した信号が１番目にあたり、図６に示した信号が８番目にあたる。また、左手に筐体１１を持ち、向きを左右に回転して右手の影がかかるように走査すると、比較的楽に、更に４種類の信号（信号種類９番〜１２番）が得られる。
【００４３】
１番目にある（１０００）、（０１００）の信号を、例えば、赤外線送信機能へのショートカットであると、制御部５１に予め登録しておくことにより、４つの光センサ部３１、３２、３３、３４からの入力により、容易に赤外線送信機能へ到達できる。ここまでの操作においては、表示一体型入力部１５の表面に触れる必要はない。なお、この（１０００）、（０１００）の信号を発生させる指の操作から、例えば、「次曲スキップ」や「ページめくり」に近いと感じれば、これらのいずれかの機能に設定することは可能である。
【００４４】
影を形成する指は、人差し指、中指に限らず、例えば、図７に示す５番目及び７番目の信号は、右手親指を走査して形成することが可能である。
【００４５】
光センサ部３１、３２、３３、３４からどのような「１」「０」を組み合わせた信号を作成するか、作成された信号を、携帯端末１が有するどの機能に結び付けるかは、使用者の好みによって、如何様にも変更可能である。
【００４６】
光センサ部３１、３２、３３、３４から入力する他の信号の例を図８に示す。図８に示すように、移動方向＋−は、Ｘ軸、Ｙ軸にとらわれることなく、指または手を１つの方向に動かして、光センサ部３１、３２、３３、３４に影を作り、一定時間後、逆に動かして、光センサ部３１、３２、３３、３４に影を作ることを意味している。例えば、１番目の信号は、光センサ部３１に、右手人差し指を動かして影を作り、一定時間後、人差し指を逆方向に戻すように動かして影を作ることにより得られる。図８に示す４種類の信号は、いずれも、光センサ部３１、３２、３３、３４の内の１つだけに、影を２回形成している例である。
【００４７】
また、光センサ部３１、３２、３３、３４から入力する他の信号の例を図９に示す。時間ブロックＢの後ろに、時間ブロックCを加えて、３つの時間ブロックＡ、Ｂ、Ｃを設定して、時間差による３つの信号を分けて入力する。図９に示すように、左回り（反時計回り）、右回り（時計回り）に、指または手を動かして、光センサ部３１、３２、３３、３４に影を作る。例えば、１番目の信号は、光センサ部３１に、右手の指を動かして影を作り、一定時間後、光センサ部３２に、右手の指を動かして影を作り、次に、一定時間後、光センサ部３３に、右手の指を動かして影を作る。図９に示す８種類の信号は、光センサ部３１、３２、３３、３４を順に接続した矩形の辺に沿った方向に回転移動して得られる例である。右手の指の移動だけでは、うまく行かない場合、左手に筐体１１を持ち、筐体１１の向きを適宜回転して右手の影がかかるように走査することは可能である。
【００４８】
光センサ部３１、３２、３３、３４は、表示一体型入力部１５の表面に外部から当たる光を遮って、影が作る受光量の減少を光電流減少の凹形のパルスと捉えて信号としている。従って、日中及び照明された環境等で機能させる設定である。そのため、受光量の変化の少ない環境、例えば、照明のない夜間等においては、光センサ部３１、３２、３３、３４を使用しない使い方で携帯端末１を使用することは可能である。
【００４９】
一方、夜間等の周囲が暗い環境においては、指が作る反射光を利用することが可能である。光源は、表示一体型入力部１５である。表示一体型入力部１５を点灯させて、指等を点灯した表示一体型入力部１５の上に離間して置くことにより、表示一体型入力部１５からの光が反射して、光センサ部３１、３２、３３、３４に入射可能となる。受光量の増加は、光電流が上に凸な形状のパルスを発することに等しく、上述の凹形のパルス形成と、向きは逆であるが、同様な手順で信号化するが可能である。
【００５０】
上述したように、携帯端末１は、筐体１１の表面に配設された液晶パネル部１６、及び液晶パネル部１６の上で押された位置情報を出力するタッチスクリーン部１７を有する表示一体型入力部１５、表示一体型入力部１５の周辺外側にあり、矩形の４つの角部をなすように配設され、筐体１１の表面側に入射する光、または、表示一体型入力部１５で発する光の反射光を検出する光センサ部３１、３２、３３、３４、筐体１１の外側から接触して、光センサ部３１、３２、３３、３４を受光可能な状態に切換える光センサ切換部３７、及び一定時間内に起こる光センサ部３１、３２、３３、３４の入射光量の変化に対応し、内蔵された命令を実行する制御部５１を備えている。
【００５１】
その結果、光センサ切換部３７を切替えて、光センサ部３１、３２、３３、３４からの命令に必要な光を、例えば、指または手により形成された影を介して遮断、または、指または手により形成された反射により入射することにより、素早く所望の処理を実行することが可能となる。所望の処理に達するまで、表示一体型入力部１５のタッチスクリーン部１７に接触または押圧する必要はない。そのため、携帯端末１は、表示一体型入力部１５の表面、すなわち、タッチスクリーン部１７のタッチされる部分への接触頻度が少なくなり、傷や汚れを抑制可能となる。高精細に突き進んでいる表示一体型入力部１５は、クリアに見えることがますます要求され、表面の汚れや傷が使用者に強く嫌われて来ているので、表示一体型入力部の表面への接触頻度を下げることによって、携帯端末１はより長く、快適に使うことが可能となる。
【００５２】
以上、本発明の実施例を説明したが、本発明は上記実施例に限定されるものではなく、本発明の要旨を逸脱しない範囲内で種々変形して実施することができる。
【００５３】
例えば、実施例では、光センサ部が４個配置されている例を示したが、４個の内の幾つかを機能しないように止めた状態で、使い易い、つまり、影の作り易い位置の光センサ部を選択して使用することは可能である。また、配置される光センサ部は、表示一体型入力部の少なくとも一部にかかる矩形及びひし形等の四つの角部の１つ乃至３つの内のいずれかであっても差し支えない。
【００５４】
また、実施例では、通信端末装置として携帯電話機の例を示したが、通話機能を必ずしも備えてない手のひらサイズの小型コンピュータ、電子手帳、ＰＤＡ（Personal Digital Assistance）等の情報端末機器であっても差し支えない。
【００５５】
また、実施例では、通信端末装置はボタン操作部が少ない構成の例を示したが、文字及び数字等を入力するための入力ボタン（ダイヤルキー）を備えていても差し支えない。
【００５６】
本発明は、以下の付記に記載されるような構成が考えられる。 
（付記１）  筐体と、前記筐体の一方の面に配設された表示部、及び前記表示部の上で押された位置情報を出力する入力部を有する表示一体型入力部と、前記筐体の一方の面に配設され、前記表示一体型入力部の周辺外側にあり、前記表示一体型入力部の少なくとも一部にかかる凸四角形の四つの角部の少なくとも1つを占めるように配設され、前記筐体の一方の面側の光を検出する光センサ部と、前記筐体の外側から接触して、前記光センサ部を受光可能な状態に切換える光センサ切換部と、一定時間内に起こる前記光センサ部の入射光の変化に対応し、内蔵された命令を実行する制御部とを備えている通信端末装置。
【００５７】
（付記２）  前記光センサ部は、フォトダイオードまたはフォトトランジスタを有する付記１に記載の通信端末装置。
【００５８】
（付記３）  前記光センサ部は、時間をおいて、前記入射光の変化を少なくとも２回検出する付記１に記載の通信端末装置。
【００５９】
（付記４）  前記入射光の変化は、指または手によって形成される付記１に記載の通信端末装置。
【符号の説明】
【００６０】
１  携帯端末
１１  筺体
１５  表示一体型入力部
１６  液晶パネル部
１７  タッチスクリーン部
２１  ボタン操作部
３１、３２、３３、３４  光センサ部
３７  光センサ切換部
４１  スピーカ
４３  マイクロフォン
５１  制御部
５３  高周波送受信部
５５  データ入力部
５７  各種機能部
６１  音声入出力部
７１、７３  指
８１  走査方向
【図１】
2010171817.tif 000003
【図２】
2010171817.tif 000004
【図３】
2010171817.tif 000005
【図４】
2010171817.tif 000006
【図５】
2010171817.tif 000007
【図６】
2010171817.tif 000008
【図７】
2010171817.tif 000009
【図８】
2010171817.tif 000010
【図９】
2010171817.tif 000011